(57)【特許請求の範囲】
【請求項１】
シートのヘッドレストを背もたれ部に接続するヘッドレストステーに取り付けられる振動板と、当該振動板に固定される振動子と、前記振動板を前記ヘッドレストステーに取り付ける取り付け部材とを備え、
前記取り付け部材は、前記ヘッドレストステーのうち前記背もたれ部と前記ヘッドレストのヘッドレストクッションとの間に露出する部分に前記振動板を取り付け可能であり、
前記振動板は、一対の前記ヘッドレストステー間に渡って取り付けられることを特徴とする音響装置。
【請求項２】
前記振動子は、前記一対のヘッドレストステーの間の中間部に配置されることを特徴とする請求項１記載の音響装置。
【請求項３】
前記背もたれ部の内部に延びる前記一対のヘッドレストステーに、電線がそれぞれ接続され、当該電線から前記一対のヘッドレストステーを経由して前記振動子に電気信号が伝達されることを特徴とする請求項１または２に記載の音響装置。
【請求項４】
前記一対のヘッドレストステーの外周部にそれぞれ取り付けられる端子体を備え、前記振動子は、前記端子体に接続されて電気信号を伝達されることを特徴とする請求項１から３のいずれかに記載の音響装置。
【請求項５】
前記振動板は、磁力で前記ヘッドレストステーに固定されることを特徴とする請求項１から４のいずれかに記載の音響装置。
【請求項６】
前記振動板は、前記ヘッドレストステーに締結して固定されることを特徴とする請求項１から４のいずれかに記載の音響装置。
【請求項７】
前記取り付け部材は、左右の外側に延びて前記一対のヘッドレストステーの内側面部に当接する腕部であり、当該腕部は、前記内側面部に沿う曲面部を介して、前記ヘッドレストステーを左右の外側に押し広げるように取り付けられることを特徴とする請求項１から４のいずれかに記載の音響装置。
【請求項８】
前記振動板は、前記一対の前記ヘッドレストステーとの接続部よりも前記シートの後方側へ膨出する膨出部を備え、当該膨出部に前記振動子が設けられることを特徴とする請求項１から７のいずれかに記載の音響装置。
【請求項９】
前記振動板は、その後面に前記振動子が固定され、前記ヘッドレストステーの後面側に取り付けられることを特徴とする請求項１から８のいずれかに記載の音響装置。
【請求項１０】
前記振動板及び前記振動子を覆うカバーが前記振動板に取り付けられることを特徴とする請求項１から９のいずれかに記載の音響装置。
【請求項１１】
前記ヘッドレストステーの左右にスピーカーが設けられ、当該スピーカーは前記カバーに支持されることを特徴とする請求項１０記載の音響装置。
【請求項１２】
前記振動板及び前記振動子を覆うカバーが前記振動板に取り付けられ、前記振動板を前記ヘッドレストステーに固定する前記取り付け部材としての磁石が前記振動板の前面に設けられ、前記カバーは、前記磁石を前記ヘッドレストステー側に露出させる開口を備えることを特徴とする請求項１から４のいずれかに記載の音響装置。
【請求項１３】
前記振動子は、当該振動子の取り付け対象物を振動させて音を出力させるエキサイタであることを特徴とする請求項１から１２のいずれかに記載の音響装置。
【発明の詳細な説明】
【技術分野】
【０００１】
本発明は、音響装置に関する。
【背景技術】
【０００２】
従来、シートのフレーム等の構造材に振動ユニットを設け、振動ユニットによってシートを振動させることで着座者に重低音域を体感させることが可能な音響装置が知られている（例えば、特許文献１参照）。特許文献１では、シートを振動させるための低音域用の第２振動ユニットを背もたれ部の下端の後方に設け、全音域を再生する第１振動ユニットを肘掛の前端に設けている。
【先行技術文献】
【特許文献】
【０００３】
【特許文献１】特開２００１−２８５９７６号公報
【発明の概要】
【発明が解決しようとする課題】
【０００４】
しかし、上記従来の音響装置では、第２振動ユニットは、振動を発生させるための低音域用であるため、広い音階を再生できない。さらに、上記第２振動ユニットは、着座者の耳から遠い位置にあるため、広い音階を再生できたとしても、着座者に音が届き難い。このため、従来の音響装置では、別途第１振動ユニットが必要になっている。また、上記従来の音響装置では、第２振動ユニットは、背もたれ部の下端の後方に設けられるため、取り付けが難しく、特に、クッションを備えた背もたれ部に後付けしようとする場合には、クッションを取り外して第２振動ユニットをフレーム部材等に取り付ける必要があり、作業に手間がかかってしまう。
本発明は、上述した事情に鑑みてなされたものであり、シートに容易に取り付けることができ、且つ、シートの振動による重低音及び広い音階を着座者に届けることが可能な音響装置を提供することを目的とする。
【課題を解決するための手段】
【０００５】
上記目的を達成するため、本発明は、シートのヘッドレストを背もたれ部に接続するヘッドレストステーに取り付けられる振動板と、当該振動板に固定される振動子と、前記振動板を前記ヘッドレストステーに取り付ける取り付け部材とを備え、前記取り付け部材は、前記ヘッドレストステーのうち前記背もたれ部と前記ヘッドレストのヘッドレストクッションとの間に露出する部分に前記振動板を取り付け可能であり、前記振動板は、一対の前記ヘッドレストステー間に渡って取り付けられることを特徴とする音響装置を提供する。
また、本発明は、前記振動子は、前記一対のヘッドレストステーの間の中間部に配置されることを特徴とする。
【０００６】
さらに、本発明は、前記背もたれ部の内部に延びる前記一対のヘッドレストステーに、電線がそれぞれ接続され、当該電線から前記一対のヘッドレストステーを経由して前記振動子に電気信号が伝達されることを特徴とする。
また、本発明は、前記一対のヘッドレストステーの外周部にそれぞれ取り付けられる端子体を備え、前記振動子は、前記端子体に接続されて電気信号を伝達されることを特徴とする。
【０００７】
また、本発明は、前記振動板は、磁力で前記ヘッドレストステーに固定されることを特徴とする。
さらに、本発明は、前記振動板は、前記ヘッドレストステーに締結して固定されることを特徴とする。
また、本発明は、前記取り付け部材は、左右の外側に延びて前記一対のヘッドレストステーの内側面部に当接する腕部であり、当該腕部は、前記内側面部に沿う曲面部を介して、前記ヘッドレストステーを左右の外側に押し広げるように取り付けられることを特徴とする。
【０００８】
また、本発明は、前記振動板は、前記一対の前記ヘッドレストステーとの接続部よりも前記シートの後方側へ膨出する膨出部を備え、当該膨出部に前記振動子が設けられることを特徴とする。
また、本発明は、前記振動板は、その後面に前記振動子が固定され、前記ヘッドレストステーの後面側に取り付けられることを特徴とする。
また、本発明は、前記振動板及び前記振動子を覆うカバーが前記振動板に取り付けられることを特徴とする。
【０００９】
さらに、本発明は、前記ヘッドレストステーの左右にスピーカーが設けられ、当該スピーカーは前記カバーに支持されることを特徴とする。
また、本発明は、前記振動板及び前記振動子を覆うカバーが前記振動板に取り付けられ、前記振動板を前記ヘッドレストステーに固定する前記取り付け部材としての磁石が前記振動板の前面に設けられ、前記カバーは、前記磁石を前記ヘッドレストステー側に露出させる開口を備えることを特徴とする。
また、本発明は、前記振動子は、当該振動子の取り付け対象物を振動させて音を出力させるエキサイタであることを特徴とする。
【発明の効果】
【００１０】
本発明によれば、シートに容易に取り付けることができ、且つ、シートの振動による重低音及び広い音階を着座者に届けることが可能な音響装置を提供できる。
【図面の簡単な説明】
【００１１】
【図１】本発明の第１の実施の形態に係る音響装置が取り付けられるシートを後方側から見た斜視図である。
【図２】音響装置が取り付けられたシートを前方側から見た斜視図である。
【図３】音響装置が取り付けられたシートを後方側から見た斜視図である。
【図４】第２の実施の形態の音響装置がヘッドレストステーに取り付けられた状態を前方側から見た斜視図である。
【図５】第３の実施の形態の音響装置の端子体が取り付けられた状態をシートの後方から見た図である。
【図６】端子体の斜視図である。
【図７】第４の実施の形態の音響装置がヘッドレストステーに取り付けられた状態を前方側から見た斜視図である。
【図８】音響装置を前方側から見た斜視図である。
【図９】音響装置を下方から見た図である。
【図１０】第５の実施の形態の音響装置がヘッドレストステーに取り付けられた状態を後側方側から見た斜視図である。
【図１１】音響装置を上方から見た平面図である。
【図１２】第６の実施の形態の音響装置がヘッドレストステーに取り付けられた状態を前方側から見た斜視図である。
【図１３】第７の実施の形態の音響装置がヘッドレストステーに取り付けられた状態を前方側から見た斜視図である。
【図１４】第８の実施の形態の音響装置がヘッドレスト内のヘッドレストステーに取り付けられた状態を前方側から見た斜視図である。
【発明を実施するための形態】
【００１２】
以下、本発明の実施の形態について図面を参照しながら以下に説明する。
［第１の実施の形態］
図１は、本発明の第１の実施の形態に係る音響装置が取り付けられるシートを後方側から見た斜視図である。
【００１３】
シート１０は、車室内に配置される乗員用のシートである。上記車室としては、例えば、自動車、電車、飛行機及び船舶等の移動体の車室が挙げられる。
シート１０は、床等に設置されて着座者が着座する座面部１１と、座面部１１の後端から僅かに後ろに傾斜した姿勢で上方に延在する背もたれ部１２と、この背もたれ部１２の上端に取り付けられるヘッドレスト１３とを備える。ここで、図１では、背もたれ部１２の内部構造を示すために背もたれ部１２の後面は切り欠かれた状態が示されている。
【００１４】
背もたれ部１２は、背もたれ部１２の骨格を成すシートバックフレーム１４と、シートバックフレーム１４を全方向から覆うクッション１５とを備える。
シートバックフレーム１４は、左右よりも上下に長い略矩形の枠状に形成されている。シートバックフレーム１４は、鉄系材料等の金属製のパイプ材や板材等を枠状に形成したものであり、クッション１５の内側で背もたれ部１２の下端部から上端部まで延びる。詳細には、シートバックフレーム１４は、左右に離間して上下に延びる一対の縦フレーム部１４ａ，１４ａと、縦フレーム部１４ａ，１４ａの上端を左右に繋ぐ上クロス部１４ｂと、縦フレーム部１４ａ，１４ａの下端を左右に繋ぐ下クロス部１４ｃとを備える。
【００１５】
背もたれ部１２は、ヘッドレスト１３が接続されるヘッドレスト接続部１６を上面１２ａに備える。ヘッドレスト接続部１６は、上面１２ａに形成された左右一対の挿入孔１７，１７と、挿入孔１７，１７の下方で上クロス部１４ｂに設けられる左右一対のステー係合部（不図示）とを備える。このステー係合部は、電気的な絶縁性を備えた樹脂材料で構成される。
【００１６】
ヘッドレスト１３は、着座者の頭部を受けるブロック状のヘッドレストクッション１９と、ヘッドレストクッション１９の下面から下方に延びる左右一対のヘッドレストステー２０，２０とを備える。ヘッドレストステー２０，２０は、ヘッドレストクッション１９の内部に延びてヘッドレストクッション１９を支持する内部フレーム部（不図示）を備える。ヘッドレストステー２０，２０は、鉄系材料等の金属製のパイプ材である。詳細には、ヘッドレストステー２０，２０は、断面略円形の丸パイプである。
ヘッドレストステー２０，２０は、ヘッドレストクッション１９の下面における左右の端の近傍に配置されており、互いに左右方向に所定距離だけ離間した状態で略平行に下方へ延びる。ヘッドレストステー２０，２０の左右の間隔は、縦フレーム部１４ａ，１４ａの左右の間隔よりも小さい。
【００１７】
ヘッドレスト１３は、ヘッドレストステー２０，２０が上方から背もたれ部１２の挿入孔１７，１７に挿入されることで背もたれ部１２に接続される。挿入孔１７，１７に挿入されたヘッドレストステー２０，２０の下部は、前記ステー係合部に係合して位置を固定される。
着座者は、ヘッドレスト１３を上下にスライドさせて任意の位置でヘッドレストステー２０，２０を前記ステー係合部に係合させることで、ヘッドレスト１３の上下の位置を体格や好み等に合わせて調整可能である。このため、背もたれ部１２の外側に露出するヘッドレストステー２０，２０の長さは、ヘッドレスト１３の上下の固定位置によって変化する。
【００１８】
図２は、音響装置２１が取り付けられたシート１０を前方側から見た斜視図である。図３は、音響装置２１が取り付けられたシート１０を後方側から見た斜視図である。図３ではシートバックフレーム１４は不図示である。
音響装置２１は、ヘッドレストステー２０，２０に取り付けられる平板状の振動板２２と、振動板２２に固定される振動子としてのエキサイタ２３と、振動板２２に設けられる左右一対の磁石２４，２４とを備える。
【００１９】
振動板２２は、鉄系材料やアルミニウム系材料等で構成される金属製の板である。振動板２２は、ヘッドレストステー２０，２０の間に渡って設けられる長さを有する上下方向よりも左右方向に長い略矩形の板である。本第１の実施の形態では、振動板２２はヘッドレストステー２０，２０の間の距離よりも長く、ヘッドレストステー２０，２０よりも左右の外側にはみ出している。
振動板２２は、略鉛直に延びるヘッドレストステー２０，２０の外周面に取り付けられて前方側（着座者側）に面する前面２２ａと、前面２２ａの裏面の後面２２ｂとを有する。
【００２０】
磁石２４，２４は、略矩形の板状の金属製である。磁石２４，２４は、振動板２２の前面２２ａの左右の端部でヘッドレストステー２０，２０に重なる位置にそれぞれ設けられる。磁石２４，２４の上下の幅は、振動板２２の上下の幅よりも小さく、磁石２４，２４は、振動板２２の下縁側に沿うように設けられる。
【００２１】
エキサイタ２３は、ケース２５と、ケース２５内に収納されるボイスコイルボビン、ボイスコイル、マグネット及びポールベース等（不図示）を備えた振動子であり、ボイスコイルに電流が流れることによるローレンツ力によって、エキサイタ２３自体が振動する。エキサイタ２３は、ケース２５と接触して取り付けられる取付対象物を、自身の振動で振動させることでスピーカーとして機能させて音を出力する。
【００２２】
エキサイタ２３は、振動板２２の後面２２ｂにケース２５を接触させて、振動板２２の左右の中央部に固定される。すなわち、本第１の実施の形態では、スピーカーとして機能する取付対象物は、主として、振動板２２及び振動板２２が取り付けられるヘッドレスト１３である。
エキサイタ２３に電気信号を伝達する配線（不図示）は、エキサイタ２３から外側に引き出されて、例えばシート１０の前方側に配置されるアンプ（不図示）等の機器に接続される。
【００２３】
アンプ等によってエキサイタ２３が駆動されると、エキサイタ２３の振動によって振動板２２及びヘッドレスト１３が振動して広い音階を出力するスピーカーとして機能するとともに、ヘッドレストステー２０，２０を介してシートバックフレーム１４に伝達されたエキサイタ２３の振動によって背もたれ部１２が全体的に振動する。このため、着座者の耳に近くて音を聞き易いヘッドレスト１３側から、低音域から高音域までの広い音階を出力できるとともに、背もたれ部１２から着座者に直接的に振動を伝達することで、着座者に重低音を感じさせることができる。すなわち、音響装置２１が取り付けられると、シート１０は、着座者が振動から重低音を体感できる体感型音響装置となる。本第１の実施の形態では、１つのエキサイタ２３を設ける簡単な構成で、重低音域から高音域までを着座者に感じさせることができる。
また、音響装置２１がヘッドレストステー２０，２０に取り付けられるため、着座者が体格に合わせてヘッドレスト１３の高さを調整すると、音響装置２１の位置も自動的にその着座者に適した位置となる。このため、着座者の体格に対応して常に音を聞き易い位置に音響装置２１を位置させることができる。
【００２４】
音響装置２１は、磁石２４，２４の前面をヘッドレストステー２０，２０の後面側２０ａ，２０ａに当接させることで、磁力によってヘッドレストステー２０，２０に固定される。このため、使用者は、外側に露出しているヘッドレストステー２０，２０の後面側２０ａ，２０ａ（図１）に後方から磁石２４，２４を当接させるだけで容易に音響装置２１を取り付けできる。
音響装置２１が磁石２４，２４によってヘッドレストステー２０，２０に取り付けられると、エキサイタ２３は、左右のヘッドレストステー２０，２０の間の中間部に位置する。これにより、振動板２２の左右の端部を支点として振動板２２の中間部をエキサイタ２３の振動によって前後方向に効率良く振動させることができるとともに、左右のヘッドレストステー２０，２０に略均一にエキサイタ２３の振動を伝達できる。このため、ヘッドレスト１３側から良好な広い音階の音を出力できるとともに、背もたれ部１２の振動によって着座者が感じる重低音をバランスの良いものとすることができる。
【００２５】
また、音響装置２１がヘッドレストステー２０，２０の後面側２０ａ，２０ａに取り付けられるとともにエキサイタ２３が振動板２２の後面２２ｂに固定されるため、エキサイタ２３が前方側に出っ張ることを防止でき、音響装置２１が着座者の邪魔になることを防止できる。
さらに、音響装置２１が後面側２０ａ，２０ａに取り付けられるため、シート１０が設置された車等に減速の加速度が作用したとしても、音響装置２１はヘッドレストステー２０，２０の間を通って着座者側に移動することができない。また、エキサイタ２３は、振動板２２の後面２２ｂに固定されるため、振動板２２を貫通するようにして前方側に移動することはできない。このため、減速の加速度が発生した場合であっても、音響装置２１が着座者の邪魔になることを防止できる。
【００２６】
ヘッドレストステー２０，２０は円筒状であり、磁石２４，２４は前面が平坦な板状であるため、後面側２０ａ，２０ａと磁石２４，２４とは略線接触の状態で磁力によって浮動的に接続されている。エキサイタ２３の振動によって振動板２２が前後方向に振動すると、磁石２４，２４は、振動板２２の撓みに伴って、後面側２０ａ，２０ａに対する線接触の位置が微小に変化する。これにより、磁石２４，２４と後面側２０ａ，２０ａとの接続箇所に作用する衝撃的な力を効果的に逃がすことができ、ヘッドレスト１３側から出力される音を柔らかい音にして音質を向上できる。
また、振動板２２及びヘッドレストステー２０，２０が金属であり熱伝導率が高いため、エキサイタ２３の発熱を効率良く放熱できる。
【００２７】
以上説明したように、本発明を適用した第１の実施の形態によれば、音響装置２１は、シート１０のヘッドレスト１３を背もたれ部１２に接続するヘッドレストステー２０，２０に取り付けられる振動板２２と、振動板２２に固定されるエキサイタ２３とを備える。このため、エキサイタ２３の振動を振動板２２を介して背もたれ部１２に伝達し、背もたれ部１２の振動による重低音を着座者に感じさせることができるとともに、振動板２２及びヘッドレスト１３がエキサイタ２３で直接的に振動させられて発生した広い音階の音を、着座者の耳に近い位置から出力できる。さらに、ヘッドレストステー２０，２０には、音響装置２１を外側から取り付けできるため、取り付け作業が容易である。さらに、着座者が体格に合わせてヘッドレスト１３の高さを調整すると、音響装置２１の位置も自動的にその着座者に適した位置となり、常に音を聞き易い位置に音響装置２１を位置させることができる。また、音を出力するヘッドレスト１３が着座者の耳に近いため、ヘッドレスト１３側の音量（エキサイタ２３の音量）を小さくしても着座者に音を感じさせることができ、周囲に音が漏れ難いパーソナルな音響空間を実現できる。
【００２８】
また、振動板２２は、一対のヘッドレストステー２０，２０間に渡って取り付けられるため、振動板２２の支持剛性を適度にでき、振動板２２を効果的に振動させて音を出力できる。また、振動板２２を左右で支持するため、振動板２２を容易に取り付けできる。
また、エキサイタ２３は、一対のヘッドレストステー２０，２０の間の中間部に配置されるため、振動板２２を効率良く振動させて音を出力できるとともに、左右のヘッドレストステー２０，２０にバランス良く振動を伝達でき、背もたれ部１２を効率良く振動させて着座者に重低音を感じさせることができる。
【００２９】
さらに、ヘッドレストステー２０，２０は、背もたれ部１２の内側のシートバックフレーム１４に接続されるため、シートバックフレーム１４を介して背もたれ部１２を効果的に振動させて着座者に迫力のある重低音を感じさせることができる。
また、振動板２２は、磁力でヘッドレストステー２０，２０に固定されるため、簡単な構造で振動板２２をヘッドレストステー２０，２０に固定できる。
【００３０】
また、振動板２２は、その後面２２ｂにエキサイタ２３が固定され、ヘッドレストステー２０，２０の後面側２０ａ，２０ａに取り付けられるため、振動板２２及びエキサイタ２３が着座者の邪魔になることを防止できる。
また、振動子は、振動子の取り付け対象物を振動させて音を出力させるエキサイタ２３であるため、背もたれ部１２を効果的に振動させることができるとともに、振動板２２及びヘッドレスト１３を振動させて広い音階を出力できる。
【００３１】
なお、上記第１の実施の形態は本発明を適用した一態様を示すものであって、本発明は上記第１の実施の形態に限定されるものではない。
上記第１の実施の形態では、振動板２２は金属であるものとして説明したが、振動板２２は、樹脂材料等の他の素材で構成されても良い。
また、音響装置２１は、音楽鑑賞用等の音の再生の用途に限らず、例えば、エキサイタ２３を共振させて駆動することで大きな振動を発生させ、着座者の眠気覚ましに用いることもできる。
【００３２】
［第２の実施の形態］
以下、図４を参照して、本発明を適用した第２の実施の形態について説明する。この第２の実施の形態において、上記第１の実施の形態と同様に構成される部分については、同符号を付して説明を省略する。
上記第１の実施の形態では、エキサイタ２３に電気信号を伝達する配線は、エキサイタ２３から外側に引き出されて、例えばシート１０の前方側に配置されるアンプ等の機器に接続されるものとして説明したが、本第２の実施の形態は、背もたれ部１２の内側を配索される電線１４０，１４０によってエキサイタ２３に電気信号が伝達される点が上記第１の実施の形態と異なる。
【００３３】
図４は、第２の実施の形態の音響装置１２１がヘッドレストステー２０，２０に取り付けられた状態を前方側から見た斜視図である。ここで、図４では、シートバックフレーム１４（図１）は不図示であるが、ヘッドレストステー２０，２０の下端部は、電気的な絶縁性を備えた樹脂製の前記ステー係合部を介してシートバックフレーム１４に固定される。また、図４では、ヘッドレストクッション１９の前面が切り欠かれて内部構造が示されている。
ヘッドレストステー２０，２０は、ヘッドレストクッション１９の内部に延びてヘッドレストクッション１９を支持する内部フレーム部２０ｂ，２０ｂを備え、内部フレーム部２０ｂ，２０ｂは、電気的な絶縁性を備えた樹脂製のクロス部材２０ｃによって連結される。
【００３４】
ヘッドレストステー２０，２０の下端部には、背もたれ部１２の内側を下方に延びる左右一対の電線１４０，１４０が設けられる。電線１４０，１４０は、例えば、背もたれ部１２から外側に引き出され、シート１０の前方側に配置されるアンプ等の機器に接続される。
音響装置１２１は、振動板２２と、エキサイタ２３と、磁石２４，２４と、磁石２４，２４とエキサイタ２３とを電気的に接続する一対のエキサイタ接続配線（不図示）とを備える。また、磁石２４，２４は、絶縁層（不図示）を介し振動板２２に対して電気的に絶縁された状態で振動板２２に固定される。
【００３５】
エキサイタ２３を駆動する電気信号は、電線１４０，１４０、ヘッドレストステー２０，２０、磁石２４，２４及び前記エキサイタ接続配線を通ってエキサイタ２３に伝達される。
本発明を適用した第２の実施の形態によれば、背もたれ部１２の内部に延びる一対のヘッドレストステー２０，２０に、電線１４０，１４０がそれぞれ接続され、電線１４０，１４０からヘッドレストステー２０，２０を経由してエキサイタ２３に電気信号が伝達される。このため、ヘッドレストステー２０，２０からエキサイタ２３に直接的に電気信号を伝達でき、エキサイタ２３の電気的な接続を簡単な構造で実現できるとともに、電線１４０，１４０が背もたれ部１２の内部に隠れるため外観性が良い。また、音響装置１２１をヘッドレストステー２０，２０に磁石２４，２４で貼り付けるだけでエキサイタ２３をアンプ等に接続できるため、音響装置１２１をアンプ等に接続するための長い配線を音響装置１２１が備える必要が無い。このため、音響装置１２１の着脱が容易であるとともに、音響装置１２１をコンパクト化でき、音響装置１２１の持ち運びが容易である。
なお、背もたれ部１２の内側を配索される電線１４０，１４０によってヘッドレストステー２０，２０を介してエキサイタ２３に電気信号を伝達する構成は、後述の第３の実施の形態を除く第１〜第８までの全ての実施の形態の構成に適用可能である。
【００３６】
［第３の実施の形態］
以下、図５及び図６を参照して、本発明を適用した第３の実施の形態について説明する。この第３の実施の形態において、上記第１の実施の形態と同様に構成される部分については、同符号を付して説明を省略する。
上記第１の実施の形態では、エキサイタ２３に電気信号を伝達する配線は、エキサイタ２３から外側に引き出されて、例えばシート１０の前方側に配置されるアンプ等の機器に接続されるものとして説明したが、本第３の実施の形態は、主として、ヘッドレストステー２０，２０の外周部にそれぞれ取り付けられる端子体２５０，２５０を介してエキサイタ２３に電気信号が伝達される点が上記第１の実施の形態と異なる。
【００３７】
図５は、第３の実施の形態の音響装置２２１の端子体２５０，２５０が取り付けられた状態をシート１０の後方から見た図である。図６は、端子体２５０の斜視図である。
音響装置２２１は、振動板２２（図２）と、エキサイタ２３と、磁石２４，２４と、磁石２４，２４とエキサイタ２３とを電気的に接続する一対のエキサイタ接続配線（不図示）と、ヘッドレストステー２０，２０に取り付けられる端子体２５０，２５０とを備える。磁石２４，２４は、絶縁層（不図示）を介し振動板２２に対して電気的に絶縁された状態で振動板２２に固定される。
【００３８】
端子体２５０は、側面の一部が開放した略円筒状に形成されており、軸方向視では略Ｃ字状となっている。各端子体２５０は、軸方向の両端に設けられる一対の係止リング２５１，２５１と、係止リング２５１，２５１の間に渡されるフィルム２５２と、フィルム２５２の表面に形成される端子部２５３と、端子部２５３から引き出される配線２５４とを備える。
【００３９】
フィルム２５２は、電気的な絶縁性を備えた樹脂製のフィルムであり、例えばポリイミドが用いられる。端子部２５３は、フィルム２５２の表面に形成される導電層であり、例えばエッチングによって形成される銅箔である。フィルム２５２は、軸方向視で略Ｃ字状に湾曲している。
係止リング２５１，２５１は、略Ｃ字状に形成された可撓性を有するリングである。端子部２５３，２５３から引き出された配線２５４，２５４の端は、エキサイタ２３を駆動するアンプ（不図示）等の機器に接続される。
【００４０】
端子体２５０，２５０は、略Ｃ字状の開放部を広げてヘッドレストステー２０，２０の外周部に嵌められる。端子体２５０，２５０は、略Ｃ字状の開放部を閉じる方向の係止リング２５１，２５１の弾性力によりヘッドレストステー２０，２０に固定される。
端子体２５０，２５０は、端子部２５３，２５３がヘッドレストステー２０，２０の後面側２０ａ，２０ａに重なるように取り付けられる。
音響装置２２１は、磁石２４，２４を端子部２５３，２５３に当接させることで、磁力でヘッドレストステー２０，２０の後面側２０ａ，２０ａに固定される。フィルム２５２は、厚さが薄いため、磁石２４，２４による固定に影響しない。
エキサイタ２３を駆動する電気信号は、配線２５４，２５４、端子部２５３，２５３、磁石２４，２４及び前記エキサイタ接続配線を介してエキサイタ２３に伝達される。
【００４１】
本発明を適用した第３の実施の形態によれば、一対のヘッドレストステー２０，２０の外周部にそれぞれ取り付けられる端子体２５０，２５０を備え、エキサイタ２３は、端子体２５０，２５０に接続されて電気信号を伝達されるため、簡単な構成でエキサイタ２３に電気信号を伝達できる。
【００４２】
なお、第３の実施の形態では、音響装置２２１は、磁石２４，２４を端子部２５３，２５３に当接させることで、磁力でヘッドレストステー２０，２０の後面側２０ａ，２０ａに固定されるものとして説明したが、本発明はこれに限定されるものではない。例えば、磁石２４，２４をヘッドレストステー２０，２０の表面に直接くっつけて、エキサイタ２３に接続される配線のみを端子部２５３，２５３に接続しても良い。
また、ヘッドレストステー２０，２０の外周部にそれぞれ取り付けられる端子体２５０，２５０を介してエキサイタ２３に電気信号を伝達する構成は、第２の実施の形態を除く第１〜第８までの全ての実施の形態の構成に適用可能である。
【００４３】
［第４の実施の形態］
以下、図７〜図９を参照して、本発明を適用した第４の実施の形態について説明する。この第４の実施の形態において、上記第１の実施の形態と同様に構成される部分については、同符号を付して説明を省略する。
本第４の実施の形態は、振動板２２及びエキサイタ２３を覆うカバー３５５が設けられる点が上記第１の実施の形態と異なる。
【００４４】
図７は、第４の実施の形態の音響装置３２１がヘッドレストステー２０，２０に取り付けられた状態を前方側から見た斜視図である。図８は、音響装置３２１を前方側から見た斜視図である。図９は、音響装置３２１を下方から見た図である。
音響装置３２１は、振動板２２と、エキサイタ２３と、磁石２４，２４と、振動板２２及びエキサイタ２３を覆うカバー３５５と、カバー３５５に支持される左右一対のスピーカー３５６，３５６とを備える。すなわち、音響装置３２１は、第１の実施の形態の音響装置２１にカバー３５５及びスピーカー３５６，３５６を追加したものである。
【００４５】
カバー３５５は、振動板２２及びエキサイタ２３を覆うカバー本体部３５７と、カバー本体部３５７から左右の外側に延びる一対の外側延出部３５８，３５８とを一体に備える。
カバー本体部３５７は、振動板２２の前面２２ａを前方側から覆う前壁部３６０と、振動板２２の後面２２ｂ及びエキサイタ２３を後方側から覆う後壁部３６１と、振動板２２及びエキサイタ２３を上方から覆う上壁部３６２とを一体に備える。カバー３５５の下面は開放している。カバー３５５は、例えば、樹脂成形品である。
【００４６】
カバー本体部３５７は、カバー本体部３５７の内側で前壁部３６０と後壁部３６１とを繋ぐ左右一対の内壁部３６３，３６３を左右の端部に備える。内壁部３６３，３６３は、振動板２２の左右の端部２２ｃ，２２ｃが嵌まる下面視で略コの字状の溝部３６４，３６４を備える。端部２２ｃ，２２ｃは、磁石２４，２４よりも左右の外側に突出した部分である。
【００４７】
カバー３５５は、振動板２２に上方から被せるように設けられ、振動板２２の端部２２ｃ，２２ｃが溝部３６４，３６４に嵌まることで、振動板２２に取り付けられる。溝部３６４，３６４と端部２２ｃ，２２ｃとの間には、ウレタン等の緩衝部材を設けても良い。振動板２２は、端部２２ｃ，２２ｃを溝部３６４，３６４で支持されているため、振動板２２の端部２２ｃ，２２ｃの間の部分は自由に振動する。
前壁部３６０は、磁石２４，２４に重なる位置に開口３６０ａ，３６０ａを有し、磁石２４，２４の前面は、開口３６０ａ，３６０ａから前方に露出する。また、前壁部３６０は、開口３６０ａ，３６０ａの間の中央部に、前方に膨出する前面膨出部３６０ｂを備える。前面膨出部３６０ｂの内方には、振動板２２が振幅する空間が確保される。
【００４８】
音響装置３２１は、磁石２４，２４が後面側２０ａ，２０ａ（図１）に磁力でくっつくことで、ヘッドレストステー２０，２０に取り付けられる。
カバー３５５の外側延出部３５８，３５８は、カバー本体部３５７の左右の端部から前方に延びており、ヘッドレストステー２０，２０の左右の外側方に位置する。外側延出部３５８，３５８は、上面にスピーカー収納開口部３６５，３６５を備え、スピーカー３５６，３５６は、スピーカー収納開口部３６５，３６５に嵌め込まれるようにして支持される。
【００４９】
スピーカー３５６，３５６は、ヘッドレストステー２０，２０の外側方で着座者の耳に近い位置にあるため、着座者に良好な音を感じさせることができる。
また、スピーカー３５６，３５６は、出力する音が前上方に指向するように、その振動板が後傾した状態で設けられる。これにより、スピーカー３５６，３５６の音が前上方の着座者の耳に届き易いため、スピーカー３５６，３５６の音量を小さくしても着座者に音を感じさせることができ、シート１０の周囲に音が漏れ難いパーソナルな音響空間を実現できる。
【００５０】
本発明を適用した第４の実施の形態によれば、振動板２２及びエキサイタ２３を覆うカバー３５５が振動板２２に取り付けられるため、カバー３５５を簡単な構造で取り付けできるとともに、カバー３５５を振動させて音を効果的に出力できる。また、着座者等が振動板２２及びエキサイタ２３に触れることをカバー３５５で防止できる。
さらに、ヘッドレストステー２０，２０の左右にスピーカー３５６，３５６が設けられ、スピーカー３５６，３５６はカバー３５５に支持されるため、着座者にとって左右の音を聞き易い位置にスピーカー３５６，３５６で音を出力できるとともに、簡単な構造でスピーカー３５６，３５６を支持できる。
また、振動板２２をヘッドレストステー２０，２０に固定する磁石２４，２４が振動板２２の前面２２ａに設けられ、カバー３５５は、磁石２４，２４をヘッドレストステー２０，２０側に露出させる開口３６０ａ，３６０ａを備える。このため、カバー３５５を設けた構成であっても、開口３６０ａ，３６０ａから露出する磁石２４，２４によって振動板２２を簡単にヘッドレストステー２０，２０に固定できる。
なお、カバー３５５のようなカバーで振動板を覆うとともにカバーにスピーカーを設ける構成は、第１〜第８までの全ての実施の形態の構成に適用可能である。
【００５１】
［第５の実施の形態］
以下、図１０及び図１１を参照して、本発明を適用した第５の実施の形態について説明する。この第５の実施の形態において、上記第１の実施の形態と同様に構成される部分については、同符号を付して説明を省略する。
本第５の実施の形態は、主として、振動板４２２が後方に膨出した部分にエキサイタ２３が設けられる点が上記第１の実施の形態と異なる。
【００５２】
図１０は、第５の実施の形態の音響装置４２１がヘッドレストステー２０，２０に取り付けられた状態を後側方側から見た斜視図である。図１１は、音響装置４２１を上方から見た平面図である。
音響装置４２１は、ヘッドレストステー２０，２０に取り付けられる振動板４２２と、エキサイタ２３と、磁石２４，２４とを備える。
振動板４２２は、例えば、一枚の板を曲げ加工して形成される。振動板４２２は、左右の端部に位置して磁石２４，２４が設けられる一対の磁石支持板部４７０，４７０と、磁石支持板部４７０，４７０の内端から後方に延出する左右一対の後方延出板部４７１，４７１と、後方延出板部４７１，４７１の後端間を左右に繋ぐ振動子支持板部４７２とを備える。すなわち、後方延出板部４７１，４７１及び振動子支持板部４７２は、後方に出っ張る膨出部４７３を構成する。エキサイタ２３は、振動子支持板部４７２の後面に固定される。磁石支持板部４７０，４７０は、ヘッドレストステー２０，２０との接続部であり、磁石２４，２４を介して後面側２０ａ，２０ａに取り付けられる。
【００５３】
磁石支持板部４７０，４７０の上下の幅は、磁石２４，２４の上下の幅と略同一に形成されており、上下の幅は比較的小さい。後方延出板部４７１，４７１は、前端は磁石支持板部４７０，４７０と同一幅であるが、後方側ほど上下の幅が大きく形成されている。詳細には、各後方延出板部４７１の下縁４７１ａは略水平に後方に延び、上縁４７１ｂは後上がりに傾斜している。振動子支持板部４７２の上下の幅は、後方延出板部４７１，４７１の後端の上下の幅と同一であり、その幅は磁石支持板部４７０，４７０の幅よりも大きい。
【００５４】
音響装置４２１が取り付けられた状態では、振動子支持板部４７２はヘッドレスト１３の後面１３ａよりも後方に位置しており、エキサイタ２３も後面１３ａの後方に位置する。このため、ヘッドレスト１３がエキサイタ２３の配置の邪魔にならず、エキサイタ２３を簡単に取り付けできる。
また、第５の実施の形態では、磁石支持板部４７０，４７０及び後方延出板部４７１，４７１の前端部の上下の幅が小さいため、ヘッドレスト１３の高さ位置が調整される等の理由により、ヘッドレスト１３の下面と背もたれ部１２の上面１２ａとの間の間隔が小さい場合であっても、磁石２４，２４によって音響装置４２１をヘッドレストステー２０，２０に取り付けできる。また、磁石支持板部４７０，４７０の強度及び剛性は、磁石２４，２４が取り付けられることで十分に確保される。
【００５５】
本発明を適用した第５の実施の形態によれば、振動板４２２は、一対のヘッドレストステー２０，２０との接続部である磁石支持板部４７０，４７０よりもシート１０の後方側へ膨出する膨出部４７３を備え、膨出部４７３にエキサイタ２３が設けられるため、エキサイタ２３を後方側に配置でき、ヘッドレスト１３と背もたれ部１２との間の隙間が小さい場合であっても、音響装置４２１を取り付けることができる。
なお、シート１０の後方へ膨出する振動板の膨出部４７３にエキサイタ２３を設ける構成は、後述する第８の実施の形態を除く第１〜第７の実施の形態の構成に適用可能である。
【００５６】
［第６の実施の形態］
以下、図１２を参照して、本発明を適用した第６の実施の形態について説明する。この第６の実施の形態において、上記第１の実施の形態と同様に構成される部分については、同符号を付して説明を省略する。
本第６の実施の形態は、音響装置５２１が磁力ではなく締結によってヘッドレストステー２０，２０に取り付けられる点が上記第１の実施の形態と異なる。
【００５７】
図１２は、第６の実施の形態の音響装置５２１がヘッドレストステー２０，２０に取り付けられた状態を前方側から見た斜視図である。
音響装置５２１は、振動板２２と、エキサイタ２３と、振動板２２の左右の端部に設けられる一対の取付板５７６，５７６とを備える。取付板５７６，５７６は、前面２２ａに対向する前壁５７６ａと、前壁５７６ａの左右の縁から前面２２ａ側に延びる側壁５７６ｂ，５６７ｂと、側壁５７６ｂ，５６７ｂの後端から側方に延びるフランジ部５７６ｃ，５７６ｃとを備える。
【００５８】
取付板５７６，５７６は、フランジ部５６７ｃ，５６７ｃを介して前面２２ａに固定され、これにより、振動板２２には、ヘッドレストステー２０，２０が上下方向に通される筒状の取付部５７７，５７７が形成される。
取付部５７７，５７７は、前壁５７６ａにねじ孔部（不図示）有し、このねじ孔部には、ねじ５７８，５７８が締め込まれる。上記ねじ孔部は、筒状部と、筒状部の内周に設けられる雌ねじ部とを備える。
【００５９】
音響装置５２１は、ねじ５７８，５７８が締め込まれてねじ５７８，５７８の先端と前面２２ａとの間にヘッドレストステー２０，２０が挟持されることで、ヘッドレストステー２０，２０に固定される。
本発明を適用した第６の実施の形態によれば、振動板２２は、ヘッドレストステー２０，２０にねじ５７８，５７８によって締結して固定されるため、簡単な構造で音響装置５２１をヘッドレストステー２０，２０に固定できる。
【００６０】
なお、締結によって音響装置５２１をヘッドレストステー２０，２０に固定する構成において、上記第２の実施の形態のように、背もたれ部１２の内側を配索される電線１４０，１４０によってエキサイタ２３に電気信号を伝達しても良く、また、上記第３の実施の形態のように、ヘッドレストステー２０，２０の外周部にそれぞれ取り付けられる端子体２５０，２５０を介してエキサイタ２３に電気信号を伝達しても良い。
【００６１】
［第７の実施の形態］
以下、図１３を参照して、本発明を適用した第７の実施の形態について説明する。この第７の実施の形態において、上記第１の実施の形態と同様に構成される部分については、同符号を付して説明を省略する。
本第７の実施の形態は、音響装置６２１が、ヘッドレストステー２０，２０を左右の外側に押し広げるように設けられる腕部６８０，６８０を介して取り付けられる点が、上記第１の実施の形態と異なる。
【００６２】
図１３は、第７の実施の形態の音響装置６２１がヘッドレストステー２０，２０に取り付けられた状態を前方側から見た斜視図である。
音響装置６２１は、平板状の振動板６２２と、振動板６２２の後面に固定されるエキサイタ２３と、振動板６２２の左右の端部に設けられる一対の腕部６８０，６８０とを備える。
振動板６２２は、左右の側縁から内方に直線状に延びるスリット６８１，６８１を一対備える。
各腕部６８０は、左右に延びる軸部６８２と、軸部６８２の一端に設けられてヘッドレストステー２０に接続される接続部６８３と、軸部６８２の他端に設けられて軸方向に延びる係合溝部６８４とを備える。係合溝部６８４が形成されることで、軸部６８２の他端側には、互いに対向する板部６８５ａ，６８５ｂが形成される。板部６８５ａは貫通孔（不図示）を備え、板部６８５ｂはねじ孔（不図示）を備える。板部６８５ａ，６８５ｂには、上記貫通孔に挿通されて上記ねじ孔に締め込まれる固定ねじ６８６が設けられる。
【００６３】
接続部６８３は、略半円のリング状部材であり、半円状の内周曲面部６８３ａと、半円状の外周曲面部６８３ｂとを備える。軸部６８２の一端は、外周曲面部６８３ｂの周方向の中央部に結合される。
内周曲面部６８３ａは、ヘッドレストステー２０，２０の内側面部２０ｄ，２０ｄに嵌められる。内周曲面部６８３ａの曲率半径は、ヘッドレストステー２０，２０の内側面部２０ｄ，２０ｄの曲率半径よりも大きい。
【００６４】
腕部６８０，６８０は、係合溝部６８４，６８４が振動板６２２の左右の端部に係合するとともに、固定ねじ６８６，６８６がスリット６８１，６８１に挿通されることで、振動板６２２に連結される。スリット６８１，６８１に沿って腕部６８０，６８０を左右に移動させることで、腕部６８０，６８０の位置を調整可能であり、固定ねじ６８６，６８６が締め込まれることで、腕部６８０，６８０の位置が固定される。
【００６５】
音響装置６２１はヘッドレストステー２０，２０の間に配置され、腕部６８０，６８０は、接続部６８３，６８３によってヘッドレストステー２０，２０を左右の外側に押し広げる力が作用する状態で固定ねじ６８６，６８６で位置を固定される。すなわち、音響装置６２１は、腕部６８０，６８０によってヘッドレストステー２０，２０を内側から突っ張るようにして固定される。
【００６６】
本発明を適用した第７の実施の形態によれば、振動板６２２は、左右の外側に延びて一対のヘッドレストステー２０，２０の内側面部２０ｄ，２０ｄに当接する腕部６８０，６８０を備え、腕部６８０，６８０は、内側面部２０ｄ，２０ｄに沿う内周曲面部６８３ａ，６８３ａを介して、ヘッドレストステー２０，２０を左右の外側に押し広げるように取り付けられる。このため、腕部６８０，６８０を介して音響装置６２１をヘッドレストステー２０，２０に簡単に取り付けでき、さらに、振動板６２２の振動によって内周曲面部６８３ａ，６８３ａが内側面部２０ｄ，２０ｄに対して微小に動くことができるため、衝撃的な振動を逃がして音質を向上できる。
【００６７】
なお、腕部６８０，６８０によって音響装置６２１をヘッドレストステー２０，２０に固定する構成において、上記第２の実施の形態のように、背もたれ部１２の内側を配索される電線１４０，１４０によってエキサイタ２３に電気信号を伝達しても良く、また、上記第３の実施の形態のように、ヘッドレストステー２０，２０の外周部にそれぞれ取り付けられる端子体２５０，２５０を介してエキサイタ２３に電気信号を伝達しても良い。
【００６８】
［第８の実施の形態］
以下、図１４を参照して、本発明を適用した第８の実施の形態について説明する。この第８の実施の形態において、上記第１の実施の形態と同様に構成される部分については、同符号を付して説明を省略する。
本第８の実施の形態は、音響装置７２１がヘッドレスト７１３に内蔵される点が、上記第１の実施の形態と異なる。
【００６９】
図１４は、第８の実施の形態の音響装置７２１がヘッドレスト７１３内のヘッドレストステーに取り付けられた状態を前方側から見た斜視図である。ここで、図１４では、ヘッドレスト７１３の内部構造を示すためにヘッドレスト７１３の前面は切り欠かれた状態が示されている。
シート７１０は、座面部１１（図１）と、背もたれ部１２と、背もたれ部１２の上端に取り付けられるヘッドレスト７１３とを備える。
【００７０】
ヘッドレスト７１３は、ヘッドレストクッション１９と、ヘッドレストステー２０，２０とを備える。ヘッドレストステー２０，２０は、ヘッドレストクッション１９の内部に延びてヘッドレストクッション１９を支持する内部フレーム部７９０，７９０を備え、内部フレーム部７９０，７９０の上端は、クロス部７９１によって左右に連結されている。
【００７１】
音響装置７２１は、振動板２２と、エキサイタ２３とを備える。音響装置７２１は、ヘッドレストクッション１９の内側に配置され、内部フレーム部７９０，７９０の間に渡って設けられる。振動板２２は、前面２２ａが、円筒状の内部フレーム部７９０，７９０の後面側７９０ａ，７９０ａに固定される。振動板２２は、前面２２ａに設けられた磁石（不図示）の磁力によって後面側７９０ａ，７９０ａに固定される。なお、振動板２２は、ボルト等によって後面側７９０ａ，７９０ａに締結して固定されても良い。
【００７２】
また、エキサイタ２３に電気信号を伝達する配線（不図示）は、エキサイタ２３からヘッドレスト７１３の外側に引き出されて、例えばシート７１０の前方側に配置されるアンプ（不図示）等の機器に接続される。
なお、第２の実施の形態のように、ヘッドレストステー２０，２０に電線１４０，１４０（図４）を設け、内部フレーム部７９０，７９０を介してエキサイタ２３に電気信号を伝達しても良い。この場合、クロス部７９１は絶縁材料で構成され、上記磁石は絶縁層を介して振動板２２に設けられ、上記磁石とエキサイタ２３とを電気的に接続する一対のエキサイタ接続配線が設けられる。
【００７３】
本発明を適用した第８の実施の形態によれば、ヘッドレストステー２０，２０は、ヘッドレスト７１３のヘッドレストクッション１９の内側に延びる内部フレーム部７９０，７９０を備え、振動板２２は、内部フレーム部７９０，７９０に取り付けられるため、ヘッドレストクッション１９の内側のスペースを利用して振動板２２及びエキサイタ２３を省スペースに配置できるとともに、振動板２２及びエキサイタ２３をヘッドレストクッション１９の内側に隠すことができ、外観性が良い。
【符号の説明】
【００７４】
１０，７１０  シート
１２  背もたれ部
１３，７１３  ヘッドレスト
１９  ヘッドレストクッション（クッション）
２０，２０  ヘッドレストステー
２０ａ，２０ａ，７９０ａ，７９０ａ  後面側
２０ｄ，２０ｄ  内側面部
２１，１２１，２２１，３２１，４２１，５２１，６２１，７２１  音響装置
２２，４２２，６２２  振動板
２３  エキサイタ（振動子）
２４，２４  磁石
１４０，１４０  電線
２５０，２５０  端子体
３５５  カバー
３５６，３５６  スピーカー
３６０ａ，３６０ａ  開口
４７３  膨出部
６８０，６８０  腕部
６８３ａ  内周曲面部（曲面部）
７９０，７９０  内部フレーム部
【図１】
0006412354.tif 000002
【図２】
0006412354.tif 000003
【図３】
0006412354.tif 000004
【図４】
0006412354.tif 000005
【図５】
0006412354.tif 000006
【図６】
0006412354.tif 000007
【図７】
0006412354.tif 000008
【図８】
0006412354.tif 000009
【図９】
0006412354.tif 000010
【図１０】
0006412354.tif 000011
【図１１】
0006412354.tif 000012
【図１２】
0006412354.tif 000013
【図１３】
0006412354.tif 000014
【図１４】
0006412354.tif 000015